(57)【特許請求の範囲】
【請求項１】
ＣＡＴＶ伝送線を介して端末端子側からセンタ装置に対して上り信号を伝送可能に構成された双方向ＣＡＴＶシステムにおいて、前記ＣＡＴＶ伝送線上に設けられ、少なくとも前記端末端子側から前記センタ装置へ伝送される上り信号を増幅する伝送信号増幅器であって、
前記ＣＡＴＶ伝送線を接続するための入力端子及び出力端子と、
前記入力端子から前記出力端子に至る装置内伝送経路に設けられ、前記入力端子側から入力される信号を増幅して前記出力端子側へ出力する増幅回路と、
外部からの指令に基づいて前記装置内伝送経路を切断する断続回路と、
該断続回路に対して前記装置内伝送経路を切断させるための伝送経路切断指令を出す信号伝送禁止指令回路と、
外部からの指令に基づいて前記増幅回路への動作電力の供給を遮断する電力供給遮断回路と、
前記入力端子に接続される伝送線のインピーダンスと同インピーダンスに構成された入力側終端回路と、
外部からの指令に基づいて前記入力側終端回路を介して前記入力端子を接地する入力側接地切替回路と、
前記出力端子に接続される伝送線のインピーダンスと同インピーダンスに構成された出力側終端回路と、
外部からの指令に基づいて前記出力側終端回路を介して前記出力端子を接地する出力側接地切替回路と、
を備え、
前記信号伝送禁止指令回路は、
前記断続回路に対して伝送経路切断指令を出す際に、前記電力供給遮断回路に対して、前記増幅回路への動作電力の供給を遮断させるための電力供給遮断指令を出し、更に、前記入力側接地切替回路に対して、前記入力側終端回路を介して前記入力端子を接地させるための入力端子接地指令を出すと共に、前記出力側接地切替回路に対して、前記出力側終端回路を介して前記出力端子を接地させるための出力端子接地指令を出す
ことを特徴とする伝送信号増幅器。
【請求項２】
ＣＡＴＶ伝送線を介して端末端子側からセンタ装置に対して上り信号を伝送可能に構成された双方向ＣＡＴＶシステムであって、
前記ＣＡＴＶ伝送線上に請求項１に記載の伝送信号増幅器を設け、前記端末端子側から前記センタ装置へ伝送される上り信号を当該伝送信号増幅器により増幅することを特徴とする双方向ＣＡＴＶシステム。
【発明の詳細な説明】
【０００１】
【発明の属する技術分野】
本発明は、ＣＡＴＶ伝送線を介してセンタ装置と端末装置とが接続され、端末装置からセンタ装置に対して上り信号を伝送可能に構成された双方向ＣＡＴＶシステム、及び、端末装置からセンタ装置へ伝送される上り信号を増幅する伝送信号増幅器に関する。
【０００２】
【従来の技術】
従来、ＣＡＴＶ伝送線を介してセンタ装置と端末端子とが接続され、端末端子に接続された端末装置（パーソナルコンピュータ等）からセンタ装置（ヘッドエンド）に対して上り信号を伝送可能な双方向ＣＡＴＶシステムでは、通常、端末端子からＣＡＴＶ伝送線に入力された上り信号は、ＣＡＴＶ伝送線上に設けられた伝送信号増幅器（上り信号増幅器）において増幅されて伝送される様に構成されている。尚、伝送信号増幅器は、上り信号増幅器と下り信号増幅器とが組み合わされた双方向増幅器として単独で設置されているものの他、分岐増幅器や延長増幅器に内蔵されているものがある。
【０００３】
ところで、センタ装置から端末端子に対して伝送されてくる下り信号（テレビ放送信号）は、略連続的に伝送されているが、端末端子からセンタ装置に対して伝送される上り信号は、必要に応じて断続的に伝送される。このため、上り信号を伝送しない期間は、伝送信号増幅器において上り信号の伝送を禁止することによって、ノイズが伝送されてしまわない様にする技術が提案されている。図３は、従来の伝送信号増幅器（上り信号増幅器）の構成を説明するためのブロック図である。尚、図３は、上り信号（ノイズ）の伝送を禁止している状態を表す。
【０００４】
図３に示す様に、従来の上り信号増幅器１０は、入力端子Ｔ１，出力端子Ｔ２，増幅回路８１，切替回路８３，増幅回路８５，抵抗８７，抵抗８９，制御回路９１によって構成されており、制御回路９１が切替回路８３の接続状態を制御することによって、上り信号の伝送の許可・禁止を切り替える。尚、制御回路９１は、センタ装置からの指令を受けて動作する。
【０００５】
具体的には、上り信号の伝送を許可する場合には、切替回路８３を構成する接点Ｐ１と接点Ｐ２とを接続すると共に、接点Ｐ４と接点Ｐ５とを接続することにより、増幅回路８１，８５を介して入力端子Ｔ１と出力端子Ｔ２とを接続する。すると、入力端子Ｔ１から入力された上り信号は、増幅回路８１，８５によって増幅されて、出力端子Ｔ２から出力される。
【０００６】
一方、上り信号の伝送を禁止する場合には、切替回路８３を構成する接点Ｐ１と接点Ｐ３とを接続すると共に、接点Ｐ４と接点Ｐ６とを接続することにより、増幅回路８１及び抵抗８７を介して入力端子Ｔ１を接地すると共に、増幅回路８５及び抵抗８９を介して出力端子Ｔ２を接地する。すると、誤って入力端子Ｔ１から上り信号が入力されても、上り信号は出力端子Ｔ２から出力されることはない。又、抵抗８７の抵抗値は、入力端子Ｔ１の前後におけるインピーダンスが整合する様に選択されている。即ち、入力端子Ｔ１に接続される伝送線のインピーダンスと入力端子Ｔ１から上り信号増幅器１０の内側を見たときのインピーダンスとが一致する様に選択されている。同様に、抵抗８９の抵抗値は、出力端子Ｔ２に接続される伝送線のインピーダンスと出力端子Ｔ２から上り信号増幅器１０の内側を見たときのインピーダンスとが一致する様に選択されている。
【０００７】
【発明が解決しようとする課題】
しかし、接点Ｐ１と接点Ｐ３とを接続すると共に、接点Ｐ４と接点Ｐ６とを接続しても、接点Ｐ１と接点Ｐ２との間隙，接点Ｐ４と接点Ｐ５との間隙，接点Ｐ３と接点Ｐ６との間隙は、完全に絶縁されるわけではなく、コンデンサの様に作用する。従って、周波数の高いノイズであれば、各隙間を飛び越えて入力端子Ｔ１から出力端子Ｔ２まで伝送されてしまうおそれがある。加えて、この様にして伝送されるノイズは、各間隙を飛び越える際に大きく減衰されるが、逆に、増幅回路８１，８５を通過する際に大きく増幅されるので、場合によっては入力端子Ｔ１に入力されたノイズが増幅されて出力端子Ｔ２から出力されることもあり得る。このため、この様なノイズを確実に減衰させるための技術が要望される。そして、その際には、単にノイズの減衰率を向上させることだけでなく、入力端子及び出力端子におけるインピーダンスの整合も考慮する必要がある。
【０００８】
そこで、本発明は、上り信号の伝送を禁止している状態で伝送されるノイズの減衰率を向上させ、かつ、伝送信号増幅器（上り信号増幅器）の入力端子及び出力端子の前後においてインピーダンスを整合させることを目的とする。
【０００９】
【課題を解決するための手段、及び発明の効果】
この様な目的を達成するため、第１の発明にかかる伝送信号増幅器は、請求項１に記載されている様に、ＣＡＴＶ伝送線を介して端末端子側からセンタ装置に対して上り信号を伝送可能に構成された双方向ＣＡＴＶシステムにおいて、前記ＣＡＴＶ伝送線上に設けられ、少なくとも前記端末端子側から前記センタ装置へ伝送される上り信号を増幅する伝送信号増幅器であって、前記ＣＡＴＶ伝送線を接続するための入力端子及び出力端子と、前記入力端子から前記出力端子に至る装置内伝送経路に設けられ、前記入力端子側から入力される信号を増幅して前記出力端子側へ出力する増幅回路と、外部からの指令に基づいて前記装置内伝送経路を切断する断続回路と、該断続回路に対して前記装置内伝送経路を切断させるための伝送経路切断指令を出す信号伝送禁止指令回路と、外部からの指令に基づいて前記増幅回路への動作電力の供給を遮断する電力供給遮断回路と、前記入力端子に接続される伝送線のインピーダンスと同インピーダンスに構成された入力側終端回路と、外部からの指令に基づいて前記入力側終端回路を介して前記入力端子を接地する入力側接地切替回路と、前記出力端子に接続される伝送線のインピーダンスと同インピーダンスに構成された出力側終端回路と、外部からの指令に基づいて前記出力側終端回路を介して前記出力端子を接地する出力側接地切替回路と、を備え、前記信号伝送禁止指令回路は、前記断続回路に対して伝送経路切断指令を出す際に、前記電力供給遮断回路に対して、前記増幅回路への動作電力の供給を遮断させるための電力供給遮断指令を出し、更に、前記入力側接地切替回路に対して、前記入力側終端回路を介して前記入力端子を接地させるための入力端子接地指令を出すと共に、前記出力側接地切替回路に対して、前記出力側終端回路を介して前記出力端子を接地させるための出力端子接地指令を出すことを特徴とする。
【００１０】
本発明にかかる伝送信号増幅器によれば、信号伝送禁止指令回路から伝送経路切断指令，電力供給遮断指令，入力端子接地指令，出力端子接地指令が出されていない場合、即ち、上り信号の伝送が許可されている場合には、伝送信号増幅器の前段に設けられている各種装置から伝送線を介して伝送されくる上り信号は、入力端子から伝送信号増幅器内に入力され、入力端子から出力端子に至る装置内伝送経路に設けられた増幅回路によって増幅され、出力端子から伝送信号増幅器外に出力され、伝送線を介して伝送信号増幅器の後段に設けられている各種装置まで伝送されてゆく。
【００１１】
これに対し、上り信号の伝送を禁止する場合には、信号伝送禁止指令回路は、断続回路に対して伝送経路切断指令を出すことによって、入力端子から出力端子に至る装置内伝送経路を切断させる。この様にして入力端子から出力端子に至る装置内伝送経路が切断されれば、入力端子から入力された信号及びノイズは、出力端子まで到達しないはずである。しかし、前述した様に、現実には、周波数の高いノイズであれば、切断された箇所を飛び越えてしまうことがあり、このノイズが増幅回路によって増幅されて出力端子から出力されることになる。
【００１２】
そこで、本発明にかかる伝送信号増幅器においては、信号伝送禁止指令回路は、断続回路に対して伝送経路切断指令を出して装置内伝送経路を切断させる際に、電力供給遮断回路に対して電力供給遮断指令を出すことによって、増幅回路への動作電力の供給を遮断させる。この様にして増幅回路への動作電力の供給が遮断されると、増幅回路は、通常、増幅機能から一転して減衰機能を発揮する様になるので、断続回路によって切断された箇所を飛び越えたノイズがあっても、増幅回路によって大幅に減衰されて出力端子から出力されることになる。
【００１３】
この様に、本発明にかかる伝送信号増幅器によれば、出力端子からノイズが出力されることは殆どなく、又、仮に出力されることがあっても、出力されるノイズは大幅に減衰されているので、ＣＡＴＶ伝送線を介して出力端子の先に接続されている各種装置がノイズの影響で誤動作することは殆どない。
【００１４】
加えて、本発明にかかる伝送信号増幅器においては、信号伝送禁止指令回路は、断続回路に対して伝送経路切断指令を出すと共に電力供給遮断回路に対して電力供給遮断指令を出す際に、更に、入力側接地切替回路に対して入力端子接地指令を出すと共に出力側接地切替回路に対して出力端子接地指令を出す。すると、入力側接地切替回路は、入力端子接地指令に従って入力側終端回路を介して入力端子を接地し、出力側接地切替回路は、出力端子接地指令に従って出力側終端回路を介して出力端子を接地する。入力側終端回路は、入力端子に接続される伝送線のインピーダンスと同インピーダンスに構成されており、出力側終端回路は、出力端子に接続される伝送線のインピーダンスと同インピーダンスに構成されているので、入力側終端回路を介して入力端子が接地されると共に出力側終端回路を介して入力端子が接地されると、入力端子及び出力端子の前後におけるインピーダンスが整合する。従って、信号伝送禁止指令回路から入力端子接地指令及び出力端子接地指令が出されている場合には、入力端子及び出力端子から信号やノイズが入力されたとしても、この信号やノイズは反射することなく大地に導かれる。
【００１５】
この様に、本発明にかかる伝送信号増幅器によれば、入力端子及び出力端子の前後におけるインピーダンスを整合させることができるので、ＣＡＴＶ伝送線を介して入力端子及び出力端子の先に接続されている各種装置を良好に動作させることができる。
【００１６】
尚、信号伝送禁止指令回路は、センタ装置からの指令を受けて伝送経路切断指令，電力供給遮断指令，入力端子接地指令，出力端子接地指令を出す様に構成されていても良いし、ＣＡＴＶ伝送線の使用状況を判断して指令を出す様に構成されていても良いし、予め端末装置毎に伝送線を使用可能な時間帯を割り当てておき、使用可能な時間帯であるか否かを判断して指令を出す様に構成されていても良い。又、信号伝送禁止指令回路に押し釦等の入力手段を設け、ＣＡＴＶシステムの管理者等による入力手段の操作態様に応じて指令を出す様に構成されていても良い。
【００１７】
又、第２の発明にかかる双方向ＣＡＴＶシステムは、請求項２に記載されている様に、ＣＡＴＶ伝送線を介して端末端子側からセンタ装置に対して上り信号を伝送可能に構成された双方向ＣＡＴＶシステムであって、前記ＣＡＴＶ伝送線上に請求項１に記載の伝送信号増幅器を設け、前記端末端子側から前記センタ装置へ伝送される上り信号を当該伝送信号増幅器により増幅することを特徴とする。
【００１８】
本発明にかかる双方向ＣＡＴＶシステムにおいては、ＣＡＴＶ伝送線上に第１の発明にかかる伝送信号増幅器が設けられているので、第１の発明にかかる伝送信号増幅器の効果が得られる。即ち、伝送信号増幅器にノイズが入力されたとしても、伝送信号増幅器からノイズが出力されることは殆どなく、仮に出力されることがあっても出力されるノイズは大幅に減衰されているので、複数の分岐線，分配線，引込線の分のノイズが重畳されたとしても僅かであり、センタ装置等がノイズの影響で誤動作することは殆どない、という効果が得られる。
【００１９】
更に、伝送信号増幅器の前後におけるインピーダンスを整合させることができるので、ＣＡＴＶ伝送線上に設けられている各種伝送機器，端末端子に接続されている端末装置，センタ装置等を良好に動作させることができる、という効果も得られる。
【００２０】
【発明の実施の形態】
以下、本発明の一実施例を図面に基づいて説明する。
まず、本実施例の双方向ＣＡＴＶシステムの構成について説明する。図１は、双方向ＣＡＴＶシステムの構成を説明するためのブロック図であり、図２は、上り信号増幅器の構成を説明するためのブロック図である。
【００２１】
本実施例の双方向ＣＡＴＶシステムは、図１に示す様に、ヘッドエンド１と、幹線分岐増幅器２と、分岐増幅器３と、タップオフ４と、双方向増幅器５と、分配器６と、端末端子７と、を備える。
そして、ある端末端子７には、下り信号を受信して、復調・再生するテレビ受信機８が接続されており、又、別の端末端子７には、ケーブルモデム内蔵パーソナルコンピュータ９（以下単に「パーソナルコンピュータ９」という。）が接続されており、パーソナルコンピュータ９からヘッドエンド１へ各種データ（上り信号）を送信するすることにより、有料番組の視聴予約やテレビショッピング等を行うことができる様に構成されている。
【００２２】
双方向増幅器５は、ヘッドエンド１から端末端子７へ伝送される下り信号を増幅するための下り信号増幅器５ａと、本実施例の双方向ＣＡＴＶシステムの特徴部分である、端末端子７からヘッドエンド１へ伝送される上り信号を増幅するための上り信号増幅器５ｂと、によって構成されている。尚、本実施例の双方向ＣＡＴＶシステムを構成する幹線分岐増幅器２，分岐増幅器３等の増幅器も、双方向増幅器５と同様の上り信号増幅器を備えているが、以下では、双方向増幅器５に備えられている上り信号増幅器５ｂについてのみ説明し、幹線分岐増幅器２，分岐増幅器３に備えられている上り信号増幅器についての説明は省略する。
【００２３】
上り信号増幅器５ｂは、図２（ａ）に示す様に、端末端子７側と接続するための入力端子Ｔ１と、ヘッドエンド１側と接続するための出力端子Ｔ２と、入力端子Ｔ１から出力端子Ｔ２に至る装置内伝送経路に設けられ、入力端子Ｔ１側から入力される信号を増幅して出力端子Ｔ２側へ出力する増幅回路１１，１３と、電源と増幅回路１１，１３とを接続する電力供給線上に設けられ、増幅回路１１，１３への動作電力の供給と遮断とを切り替える電力供給遮断回路１５，１７と、上り信号増幅器５ｂ内の各部に指令を出す制御回路１９と、制御回路１９からの指令に基づいて装置内伝送経路を切断する断続回路２１と、入力端子Ｔ１に接続されるＣＡＴＶ伝送線のインピーダンスと同インピーダンスの抵抗２３と、制御回路１９からの指令に基づいて抵抗２３を介して入力端子Ｔ１を接地する入力側接地切替回路２５と、出力端子Ｔ２に接続されるＣＡＴＶ伝送線のインピーダンスと同インピーダンスの抵抗２７と、制御回路１９からの指令に基づいて抵抗２７を介して出力端子Ｔ２を接地する出力側接地切替回路２９と、を備える。
【００２４】
制御回路１９は、ヘッドエンド１からの指令を受けて、上り信号の伝送の許可・禁止を切り替えるためのものであり、上り信号の伝送を禁止する場合には、断続回路２１に対して伝送経路切断指令を出し、電力供給遮断回路１５，１７に対して電力供給遮断指令を出し、入力側接地切替回路２５に対して入力端子接地指令を出し、出力側接地切替回路２９に対して出力端子接地指令を出す様に構成されている。
【００２５】
そして、制御回路１９から伝送経路切断指令が出されていない場合には、断続回路２１は接続状態を保持する。同様に、制御回路１９から電力供給遮断指令が出されていない場合には、電力供給遮断回路１５，１７は電源回路から増幅回路１１，１３へ動作電力が供給される状態を保持する。同様に、制御回路１９から入力端子接地指令及び出力端子接地指令が出されていない場合には、入力側接地切替回路２５は入力端子Ｔ１と抵抗２３との間を非導通状態で保持し、出力側接地切替回路２９は出力端子Ｔ２と抵抗２７との間を非導通状態で保持する。
【００２６】
一方、制御回路１９から伝送経路切断指令，電力供給遮断指令，入力端子接地指令，出力端子接地指令が出されると、断続回路２１は装置内伝送経路を切断し、電力供給遮断回路１５，１７は増幅回路１１，１３への動作電力の供給を遮断し、入力側接地切替回路２５は抵抗２３を介して入力端子Ｔ１を接地し、出力側接地切替回路２９は抵抗２７を介して出力端子Ｔ２を接地する。
【００２７】
尚、例えば上り信号増幅器５ｂの電源プラグがコンセントから抜けて上り信号増幅器５ｂ全体に対する電力供給が停止してしまった場合には、断続回路２１は切断状態となり、電力供給遮断回路１５，１７は増幅回路１１，１３への動作電力の供給を遮断し、入力側接地切替回路２５は抵抗２３を介して入力端子Ｔ１を接地し、出力側接地切替回路２９は抵抗２７を介して出力端子Ｔ２を接地する、即ち、制御回路１９から伝送経路切断指令，電力供給遮断指令，入力端子接地指令，出力端子接地指令が出されている場合と同じ状態となる様に構成されている。
【００２８】
次に、入力側接地切替回路２５の具体的回路構成について説明する。
入力側接地切替回路２５は、図２（ｂ）に示す様に、制御回路１９と接続するための端子Ｔ３と、入力端子Ｔ１と接続するための端子Ｔ４と、増幅回路１１と接続するための端子Ｔ５と、抵抗２３と接続するための端子Ｔ６と、上り信号阻止用チョークコイル３１と、上り信号通過用コンデンサ３３，３５と、ダイオード３７と、を備える。このため、端子Ｔ３の電位が０であればダイオード３７はＯＦＦ状態であるので、端子Ｔ４から入力される上り信号は上り信号通過用コンデンサ３３，３５を介して端子Ｔ５から出力されるが、制御回路１９が端子Ｔ３の電位をＨＩＧＨレベルにすると、ダイオード３７がＯＮ状態となるので、端子Ｔ４は、上り信号通過用コンデンサ３３，ダイオード３７，端子Ｔ６，抵抗２３を介して接地されることになる。即ち、入力端子Ｔ１は、周波数の高い信号については抵抗２３を介して接地されたことになる。そして、制御回路１９が端子Ｔ３の電位をＨＩＧＨレベルとすることが、入力側接地切替回路２５に対する入力端子接地指令となる。
【００２９】
出力側接地切替回路２９は、入力側接地切替回路２５と全く同じ構成であるので、出力側接地切替回路２９についての説明は省略する。
尚、本実施例において、双方向増幅器５（上り信号増幅器５ｂ）が前述の伝送信号増幅器に相当し、制御回路１９が前述の信号伝送禁止指令回路に相当し、抵抗２３が前述の入力側終端回路に相当し、抵抗２７が前述の出力側終端回路に相当する。
【００３０】
続いて、本実施例の双方向ＣＡＴＶシステム（上り信号増幅器５ｂ）の効果について説明する。
本実施例の上り信号増幅器５ｂによれば、上り信号の伝送を禁止する場合、制御回路１９は、断続回路２１に伝送経路切断指令を出して入力端子Ｔ１から出力端子Ｔ２に至る装置内伝送経路を切断させると共に、電力供給遮断回路１５，１７に電力供給遮断指令を出して増幅回路１１，１３への動作電力の供給を遮断させるので、断続回路２１によって切断された箇所を飛び越えたノイズがあっても、増幅回路１１，１３によって大幅に減衰されて出力端子から出力されることになる。従って、出力端子Ｔ２からノイズが出力されることは殆どなく、又、仮に出力されることがあっても、出力されるノイズは大幅に減衰されているので、ＣＡＴＶ伝送線を介して出力端子の先に接続されているヘッドエンド１等の動作に悪影響を与えることは殆どない。
【００３１】
加えて、上り信号の伝送を禁止する場合、制御回路１９は、入力側接地切替回路２５及び出力側接地切替回路２９にも各々入力端子接地指令及び出力端子接地指令を出して、入力端子Ｔ１に接続されるＣＡＴＶ伝送線のインピーダンスと同インピーダンスの抵抗２３を介して入力端子Ｔ１を接地させると共に、出力端子Ｔ２に接続されるＣＡＴＶ伝送線のインピーダンスと同インピーダンスの抵抗２７を介して出力端子Ｔ２を接地させるので、入力端子Ｔ１及び出力端子Ｔ２の前後におけるインピーダンスが整合する。従って、制御回路１９から入力端子接地指令及び出力端子接地指令が出されている場合には、入力端子Ｔ１及び出力端子Ｔ２から信号やノイズが入力されたとしても、この信号やノイズは反射することなく大地に導かれるので、双方向増幅器５（上り信号増幅器５ｂ）の端末端子側に接続されているパーソナルコンピュータ９、あるいは双方向増幅器５（上り信号増幅器５ｂ）のヘッドエンド側に接続されているセンタ装置等を良好に動作させることができる。
【００３２】
以上、本発明の一実施例について説明したが、本発明は前述した実施例に何等限定されるものではなく、更に種々の態様において実施しても良いことはもちろんである。
例えば、実施例では、入力側終端回路，出力側終端回路として抵抗を採用すると共に、ダイオードのＯＮ・ＯＦＦによって入力端子Ｔ１及び出力端子Ｔ２と抵抗との接続を切り替える様に構成されているが、制御回路１９によって制御可能であれば他の回路素子を採用しても良い。具体的には、ダイオードと抵抗とを介して接地する代わりにＰＩＮダイオードを介して接地する様に構成されていても良いし、入力側接地切替回路２５，出力側接地切替回路２９がリレーによって構成されていても良い。
【００３３】
又、実施例では、制御回路１９は、ヘッドエンド１からの指令を受けて、上り信号の伝送の許可・禁止を切り替える（断続回路２１，電力供給遮断回路１５，１７，入力側接地切替回路２５，出力側接地切替回路２９に対して指令を出す）様に構成されているが、制御回路１９に押し釦等の入力手段を設け、ＣＡＴＶシステムの管理者等による入力手段の操作態様に応じて上り信号の伝送の許可・禁止を切り替える様に構成されていても良い。
【００３４】
又、実施例では、上り信号の一例としてパーソナルコンピュータ９からヘッドエンド１に対して伝送される各種データを挙げたが、この他にも、撮影中のテレビカメラからの映像データを上り信号として端末端子７からヘッドエンド１へ伝送し、これを受けたヘッドエンド１がデータを加工（下り信号の周波数への変換等）して端末端子７（その先に接続されたテレビ受信機８）へ伝送する、という構成も可能である。この様に構成されている場合には、テレビカメラで撮影した映像をＣＡＴＶシステム加入者に対して生中継することができる。
【図面の簡単な説明】
【図１】  実施例の双方向ＣＡＴＶシステムの構成を説明するためのブロック図である。
【図２】  上り信号増幅器の回路構成を説明するためのブロック図（ａ）、及び、入力側接地切替回路の回路構成を説明するためのブロック図（ｂ）である。
【図３】  従来の上り信号増幅器の回路構成を説明するためのブロック図である。
【符号の説明】
１…ヘッドエンド    ２…幹線分岐増幅器    ３…分岐増幅器    ４…タップオフ    ５…双方向増幅器    ５ａ…下り信号増幅器    ５ｂ…上り信号増幅器    ６…分配器    ７…端末端子    ８…テレビ受信機    ９…ケーブルモデム内蔵パーソナルコンピュータ    １０…従来の上り信号増幅器    １１，１３…増幅回路    １５，１７…電力供給遮断回路    １９…制御回路    ２１…断続回路    ２３，２７…抵抗    ２５…入力側接地切替回路    ２９…出力側接地切替回路    ３１…上り信号阻止用チョークコイル    ３３，３５…上り信号通過用コンデンサ    ３７…ダイオード    ８１…増幅回路    ８３…切替回路８５…増幅回路    ８７…抵抗    ８９…抵抗    ９１…制御回路    Ｐ１，Ｐ２，Ｐ３，Ｐ４，Ｐ５，Ｐ６…接点    Ｔ１…入力端子    Ｔ２…出力端子
Ｔ３，Ｔ４，Ｔ５，Ｔ６…端子。
【図１】
0004136218.tif 000002
【図２】
0004136218.tif 000003
【図３】
0004136218.tif 000004